(57)【要約】【課題】  マンホールなどの狭いスペースであっても電力ケーブルのケーブル接続部にその接続後であっても遮水体を容易に施工できるケーブル接続部用の遮水体およびその固定構造を提供する。【解決手段】  電力ケーブル４同士を接続するケーブル接続部６を覆い、そのケーブル接続部６に外部から水分が浸入することを阻止するケーブル接続部６用の遮水体２０において、遮水体２０は、ケーブル接続部６の外周面に一側を密着するための粘着材からなる粘着層２１と、その粘着層２１の他側上に設けた水分の浸入を阻止する遮水層２２と、この遮水層２２の粘着層２１と反対側上に設けた弾性部材からなる弾性部材層２３とを有して、全体が平坦なシート状を呈するものであり、遮水体２０の全体を前記ケーブル接続部６上に巻き付けて覆うものである。【選択図】  図２
2006020388.tif 000002
【特許請求の範囲】
【請求項１】
電力ケーブル同士を接続するケーブル接続部を覆い、そのケーブル接続部に外部から水分が浸入することを阻止するケーブル接続部用の遮水体において、
遮水体は、ケーブル接続部の外周面に一側を密着するための粘着材からなる粘着層と、その粘着層の他側上に設けた水分の浸入を阻止する遮水層と、この遮水層の粘着層と反対側上に設けた弾性部材からなる弾性部材層とを有して、全体が平坦なシート状を呈するものであり、遮水体の全体を前記ケーブル接続部上に巻き付けて覆うようにしたものであることを特徴とするケーブル接続部用の遮水体。
【請求項２】
粘着層は、自己融着性のある未加硫ゴムからなることを特徴とする請求項１に記載のケーブル接続部用の遮水体。
【請求項３】
遮水層は、金属または高密度樹脂からなることを特徴とする請求項１または２に記載のケーブル接続部用の遮水体。
【請求項４】
請求項１から３のうちのいずれか１項に記載のケーブル接続部を覆った遮水体上に自己融着性のある帯材を巻き付けることによって、前記遮水体をケーブル接続部上に固定することを特徴とするケーブル接続部用の遮水体の固定構造。
【発明の詳細な説明】
【技術分野】
【０００１】
本発明は、主に、電力ケーブル同士を接続するケーブル接続部を覆い、そのケーブル接続部に外部から水分が浸入することを阻止するケーブル接続部用の遮水体およびその固定構造に関する。
【背景技術】
【０００２】
一般に、電力ケーブルは、その電気的性能を確保して電力供給を安定的に行うため、電力ケーブル本体ばかりでなく、ケーブル接続部に高い遮水性能が要求される。
【０００３】
このケーブル接続部における遮水性を高めるため、ゴム等のエラストマーもしくはプラスチックからなる防水保護層と、その防水保護層内に金属層を周方向に筒状に巻いた遮水層からなる熱収縮性遮水チューブ（遮水体の従来例）がケーブル接続部に被せられていた。
【０００４】
この熱収縮性遮水チューブは、ケーブル接続部上で熱源によって熱収縮させ、そのケーブル接続部を外周から締め付けて密着するように施工するものであるため、熱源用の火気若しくは電源等が必要となる。
【０００５】
しかしながら、このような熱源の使用が制限される場所や狭い場所、例えばマンホールでは作業がしにくいことや、加熱によってケーブル接続部が劣化すること等の欠点がある。この欠点を回避するため、常温収縮性遮水チューブ（遮水体の他の従来例）の使用が提案若しくは開発されている（特許文献１、特許文献２、特許文献３、特許文献４参照）。
【０００６】
この種の常温収縮性遮水チューブは、特許文献１〜特許文献４に開示されるように、解体除去が可能な中空支持体の筒状コア上に弾性的に伸長・拡径された状態で巻き回した常温収縮性ゴム弾性体層が設けられ、この常温収縮性ゴム弾性体層の上に金属箔を周方向へ筒状に巻いた遮水層が設けられ、この遮水層の外周面を被覆し弾性的に伸長・拡径された状態で巻き回した常温収縮性ゴム弾性体層が設けられているものである。
【０００７】
ここで、前記の熱収縮遮水チューブ若しくは常温収縮性遮水チューブは、軸方向に沿う切れ目の無い円筒形状であるため、ケーブル接続部の接続前に予め電力ケーブルに仮挿入しておく必要がある。したがって、熱収縮性遮水チューブおよび常温収縮性遮水チューブでは、その分作業スペースが広く必要となるものであった。
【０００８】
図８は、地中管路に敷設された電力ケーブルにおけるマンホール１に設けられるケーブル接続部の説明図、図９は、ケーブル接続部に対する常温収縮性遮水チューブの取り付け施工の説明図である。
【０００９】
図８に示すように、電力ケーブルのケーブル接続部が設置されるマンホール１は、通常、深さｈと幅ｗがそれぞれ２０００〜３０００ｍｍ程度の地中の空間からなり、電力ケーブル地中管路２の適切な間隔毎に設けられている。
【００１０】
マンホール１は、地上側開口１ａが蓋３によって通常時に閉ざされており、作業時にその蓋３を開けてこの地上側開口１ａから１以上の作業員が入って作業をするようになっている。
【００１１】
電力ケーブル地中管路２内を通る電力ケーブル４，４は、マンホール１内においてその接続端部５，５同士がケーブル接続部（図８の場合、ケーブル接続部が直線状であるので直線接続部とも称する）６によって接続される。
【００１２】
この電力ケーブル４，４の接続端部５，５同士をケーブル接続部６によって接続施工する際には、図９（ａ）に示すように、まず、電力ケーブル４，４の接続端部５，５の外装、遮蔽層７，７、外部半導電層８ａ，８ａ、絶縁層８，８、内部半導電層８ｂ，８ｂを段階的に剥ぎ取り、導体９，９を露出させる。
【００１３】
次いで、解体除去できる筒状のコア１０１が内挿されることによって拡径された大径の常温収縮性遮水チューブ１０を一方側の電力ケーブル４に被せ、接続端部５，５から離した位置の一方側の電力ケーブル４上に送り込んでおく。
【００１４】
そして、両電力ケーブル４，４に，解体除去できるコア１１１，１１１によって拡径された小径の常温収縮性遮水チューブ１１，１１を被せ、これらも、接続端部５，５から離した位置の電力ケーブル４，４上に送り込んでおく。
【００１５】
次いで、解体除去できるコア６１によって拡径されたケーブル接続部６を他方側の電力ケーブル４に被せる。ケーブル接続部６は、内部半導電層、補強絶縁体層、外部半導電層、遮蔽層等が適宜に積層構造となって弾性変形可能に構成されている常温収縮性のものである。
【００１６】
そして、接続端部５，５同士を近寄らせて前記導体９，９の先端部同士を導体接続管（スリーブ）１２によって圧縮接続する。その後に、その接続端部５，５同士上にケーブル接続部６を位置させて、それを拡径していたコア６１を除去することによって、ケーブル接続部６は縮径して導体接続管１２で圧縮接続された導体９，９周囲の接続端部５，５同士上に密着する。
【００１７】
次いで、ケーブル接続部６の両端部上に小径の常温収縮性遮水チューブ１１，１１によって覆い、それらを拡径していたコア１１１，１１１を除去することによって、小径の常温収縮性遮水チューブ１１，１１は、縮径してケーブル接続部６の両端部上に重なり緊密に密着する。
【００１８】
そして、前記のケーブル接続部６とその両端部上に密着した小径の常温収縮性遮水チューブ１１，１１とを一体に大径の常温収縮性遮水チューブ１０によって覆い、そのコア１０１を除去することによって、図９の（ｂ）に示すように、大径の常温収縮性遮水チューブ１０は、縮径してケーブル接続部６と小径の常温収縮性遮水チューブ１１，１１との上に緊密に密着する。
【特許文献１】特開２０００−２６３６９０号公報
【特許文献２】特開２００１−２３１１２３号公報
【特許文献３】特開２００１−２３１１５０号公報
【特許文献４】特開２００２−１５７９０号公報
【発明の開示】
【発明が解決しようとする課題】
【００１９】
前述のように電力ケーブルの接続端部同士を接続するに際し、ケーブル接続部６を設置する前に、前述の遮水体の例である、大径の常温収縮性遮水チューブ１０および小径の常温収縮性遮水チューブ１１のそれぞれを電力ケーブル４，４に仮に被せてそれぞれ接続端部５，５から離しておかなければ、各常温収縮性遮水チューブ１０および１１が接続端部５，５上に重なって接続作業の邪魔になってしまい、導体接続管１２による導体９，９同士の圧縮接続やケーブル接続部６の設置ができない。
【００２０】
したがって、電力ケーブルの接続端部同士を接続するに際しては、大径の常温収縮性遮水チューブ１０および小径の常温収縮性遮水チューブ１１を接続端部から逃がすために、作業スペースが大きく必要になるが、マンホール１内などの限られたスペースでは逃がしきれない場合がある等不向きな構造であるという問題点がある。
【００２１】
また、同様に電力ケーブル接続後に、経年的もしくは何等かの要因によって小径若しくは大径の常温収縮性遮水チューブ等の遮水構造が切断または脱落し、その遮水構造の取替えが必要になった場合に、遮水構造が筒状の遮水チューブからなるものであるので、電力ケーブルの接続端部５，５同士を切断して、それら接続端部５，５同士を再度、ケーブル接続部６によって接続し直さなければならず、作業負荷が大きいものであるが、この作業負荷を削減する適切な技術が開発されていないという問題点がある。
【００２２】
なお、上記の問題点は、熱収縮性遮水チューブも、同様に有している。
【００２３】
本発明は、斯かる実情に鑑み、マンホールなどの狭いスペースであっても電力ケーブルのケーブル接続部にその接続後であっても遮水体を容易に施工できるケーブル接続部用の遮水体およびその固定構造を提供しようとするものである。
【課題を解決するための手段】
【００２４】
本発明はケーブル接続部用の遮水体およびその固定構造にかかるものである。
【００２５】
本発明は、電力ケーブル同士を接続するケーブル接続部を覆い、そのケーブル接続部に外部から水分が浸入することを阻止するケーブル接続部用の遮水体において、遮水体は、ケーブル接続部の外周面に一側を密着するための粘着材からなる粘着層と、その粘着層の他側上に設けた水分の浸入を阻止する遮水層と、この遮水層の粘着層と反対側上に設けた弾性部材からなる弾性部材層とを有して、全体が平坦なシート状を呈するものであり、遮水体の全体を前記ケーブル接続部上に巻き付けて覆うようにしたものであることを特徴とするものである。
【００２６】
本発明においては、粘着層が、自己融着性のある未加硫ゴムからなることが好ましい。
【００２７】
また、本発明においては、遮水層が、金属または高密度樹脂からなることが好ましい。
【００２８】
本発明は、ケーブル接続部用の遮水体の固定構造において、前記のケーブル接続部を覆った遮水体上に自己融着性のある帯材を巻き付けることによって、前記遮水体をケーブル接続部上に固定することを特徴とするものである。
【発明の効果】
【００２９】
本発明に係るケーブル接続部用の遮水体およびその固定構造によれば、マンホールなどの狭いスペースであっても電力ケーブルのケーブル接続部にその接続後であっても遮水体を容易に施工できるという優れた効果を奏し得る。
【発明を実施するための最良の形態】
【００３０】
以下、本発明の実施の形態を、添付図面を参照して説明する。
【００３１】
図１〜図５は本発明に係るケーブル接続部用の遮水体およびその固定構造の実施形態の一例を示すものである。また、図６〜図７は実施形態の変形例の説明図である。
【００３２】
なお、この実施形態およびその変形例においては、上述の図８〜図９と同様の部分に同一の符号を付する。
【００３３】
図１は実施形態に係るケーブル接続部６用の遮水体２０の断面説明図、図２はその遮水体２０の施工説明図である。
【００３４】
図１、図２に示すように、実施形態に係るケーブル接続部６用の遮水体２０は、電力ケーブル４同士を接続するケーブル接続部６を覆い、そのケーブル接続部６に外部から水分が浸入することを阻止するケーブル接続部６用の遮水体２０において、遮水体２０は、ケーブル接続部６の外周面に一側を密着するための粘着材からなる粘着層２１と、その粘着層２１の他側上（実施形態では上側）に設けた水分の浸入を阻止する遮水層２２と、この遮水層２２の粘着層２１と反対側上に設けた弾性部材からなる弾性部材層２３とを有して、全体が平坦なシート状を呈するものであり、遮水体２０の全体を前記ケーブル接続部６上に巻き付けて覆うようにしたものである。
【００３５】
粘着層２１は、実施形態では、自己融着性のある未加硫ゴム（例えば未加硫のブチルゴム）からなるものである。この粘着層２１は、ケーブル接続部６外周面上に密着させる施工をする前は、その粘着層２１が他のもの（ごみ若しくは他の部材等）に接触しないように覆う樹脂製シート若しくは紙製の離型シート部材（接触防止シートともいう）２４が張り付けられている。粘着層２１は、この離型シート部材２４によって外部からごみ若しくは他の部材が付着するのを防止でき、防水性能の低下および電気的性能の低下を確実に防止できるものである。また、離型シート部材２４によって粘着層２１が覆われているので、遮水体２０同士を重ねたときに遮水体２０同士が張り付くことがないことから、運搬時、保管時若しくは施工時に容易に取り扱うことができ、作業が短時間で行い得るようになる。
【００３６】
遮水層２２は、実施形態では、アルミニウム、鉛、銅等からなる薄膜状、シート状若しくは箔状の金属層からなるものである。本発明では、その他、遮水層２２はプラスチックなどの樹脂からなる薄膜状若しくはシート状ものであることが好適である。遮水層２２には、粘着層２１がその粘着力によって緊密に接合する（経時的に緊密度は増す）ので他の接合部材が不要であるとの利点があるが、遮水層２２と粘着層２１との間にそれら同士を設定された緊密性をうるために他の部材層を設けることができる。
【００３７】
この樹脂を遮水層２２に用いる場合には、その防湿性、水蒸気遮断性能等からポリエチレン樹脂を用いることが好適である。このポリエチレン（エチレンを重合した熱可塑性樹脂であって、密度、特性は分岐度、分岐の種類、分布によって変わる。）のうちで高密度ポリエチレン（ＨＤＰＥ：一般に密度を基準に密度が０．９４１〜０．９６５のポリエチレンをいう）が最も好ましいが、中密度ポリエチレンン（ＭＤＰＥ：密度が０．９２６〜０．９４０のポリエチレンをいう）、低密度ポリエチレン（ＬＤＰＥ：密度が０．９１０〜０．９２５のポリエチレンをいう）、超低密度ポリエチレン（ＵＬＤＰＥ：密度が０．８８５〜０．９０９のポリエチレンをいう）を用いるのが好ましい。
【００３８】
弾性部材層２３は、実施形態では、エチレンとプロピレンの共重合対であるエチレンプロピレンゴム（ＥＰＲ若しくはＥＰＭと略記される）からなる弾性を有する弾性ゴム素材からなるものである。本発明では、その他、弾性部材層２３にシリコーンゴムを用いることが好適である。弾性部材層２３によって、シート状の遮水体２０は平面方向に延びることが無く、ケーブル接続部６に遮水体２０を貼り付けて覆う際に遮水体２０を引っ張りながら緊密に覆うことができる。
【００３９】
また、実施形態では、前記遮水層２２と弾性部材層２３との間にそれら同士が剥がれないように接着若しくは粘着によって固着する固着層２５を設けている。固着層２５が接着剤を用いて接着するものの場合は、合成ゴム系、エポキシ樹脂系、シリコーン系、アクリル系等の樹脂からなる接着剤を用いることが好ましい。また、固着層２５が粘着剤を用いて粘着するものの場合は、粘着剤には未加硫ゴムを用いることが好ましい。
【００４０】
前記ケーブル接続部６用の遮水体２０の固定構造は、図２〜図４に示すように、前記ケーブル接続部６を覆った遮水体２０上に自己融着性のある帯材２６を巻き付けることによって、前記遮水体２０をケーブル接続部６上に固定するものである。
【００４１】
帯材２６は、実施形態では、自己融着性のあるブチルゴムなどの融着材料からなる防水テープである。
【００４２】
図５はケーブル接続部６に遮水体２０を巻き付けて覆った状態を説明する断面図である。
【００４３】
このケーブル接続部６は、電力ケーブル４，４の接続端部５，５の外部保護層２７、遮蔽銅テープ（遮蔽層）２８、外部半導電層８ａ，８ａ、絶縁層８，８、内部半導電層８ｂ，８ｂを段階的に剥ぎ取り、かつ導体９，９を露出させた状態で接続するものである。電力ケーブル４，４には、外部保護層２７を取り去って遮蔽銅テープ２８が露出している。
【００４４】
ケーブル接続部６は、実施形態では、前述の図９に示した常温収縮性のものである。その他、本発明のケーブル接続部は、電力ケーブルの軸方向に沿う分割面で複数に分割された所謂プレハブ構造のケーブル接続部を用いることが好ましい。また、実施形態では、ケーブル接続部６は電力ケーブル４，４の接続端部５，５同士を直線的に接続する直線接続部であるが、本発明の遮水体は、その他、曲がった接続部や複数に分岐した接続部、若しくはケーブル終端部にも実施することが好適である。
【００４５】
そして、導体９，９同士を導体接続管１２によって接続した周囲には、導体９，９と導体接続管１２を覆う概略筒状の半導電性ゴムからなる導体接続管カバー２９が設けられる。また、電力ケーブル４，４の接続端部５，５の導体９，９の出ている口元から絶縁層８，８の外周にかけては、概略筒状の絶縁体からなるスペーサ３０，３０によって包まれる。このスペーサ３０，３０においての導体９，９とは反対側端には、半導電性ゴムからなるストレスコーン部３１，３１が形成されている。
【００４６】
これらの導体接続管カバー２９からスペーサ３０，３０の全体にわたる外周には、エチレンプロピレンゴムからなる絶縁筒（補強絶縁体）３２が配設される。
【００４７】
この絶縁筒３２の内周面部には、前記導体接続管カバー２９の外周面からスペーサ３０，３０の外周面の途中の位置にかけて、エチレンプロピレンゴムからなる半導電層（内部半導電層）３３が形成される。
【００４８】
また、この絶縁筒３２には、その軸方向の両端部から外周面に亙って半導電層（外部半導電層）３４，３４が形成される。なお、この半導電層３４，３４と前記ストレスコーン部３１，３１の外周はカーボンテーブなどからなる半導電性のテープ材３４ａ，３４ａで巻かれている。
【００４９】
また、電力ケーブル４，４の一方側の接続端部５から露出した遮蔽銅テープ２８に接地線３５の一端を電気的に接続する。この遮蔽銅テープ２８に接続した接地線３５を絶縁筒３２の外部半導電層３４の外周面に適宜間隔のらせん状に巻き付ける（この巻き付けた接地線は符号３６で示すものである）。この外部半導電層３４の外周面に巻きつけた接地線３６の他端は、前記の電力ケーブル４，４の他方側の接続端部５の遮蔽銅テープ２８に電気的に接続する。なお、外部半導電層３４の外周面に巻き付ける接地線３６はその他、メッシュ状を呈することが好適である。
【００５０】
なお、電力ケーブル４，４の一方側の接続端部５には、遮蔽銅テープ２８に電気的に接続され大地に接続する（アースする）接地金具３７が設けられる。
【００５１】
遮水体２０は、上記のケーブル接続部６の半導電層（外部半導電層）３４および接地線３６外周に密着するものである。実施形態における遮水体２０の固定構造はその遮水体２０周囲から帯材２６によって緊密に巻かれてケーブル接続部６に十分に固定するものである。
【００５２】
帯材２６は、合成ゴムまたは合成樹脂からなり、自己融着性または粘着層を有した構造であることが好ましい。
【００５３】
次に、上記した実施形態の作用を説明する。
【００５４】
電力ケーブル４，４の接続端部５，５同士をケーブル接続部６によって接続し、それらの接続端部５，５およびケーブル接続部６の外周を各種の遮水性チューブ等の遮水体で覆った後に、何らかの原因により遮水体が切断しまたは脱落して再度取り付けの必要が生じたときには、まず、元の遮水体を取り去って、電力ケーブル４の接続端部５，５同士を接続するケーブル接続部６の接地線３６を露出させる。
【００５５】
そして、シート状を呈する遮水体２０から、離型シート部材２４を剥がして粘着層２１を露出させ、図２に示すように、それらの接続端部５，５とケーブル接続部６上に、単体の遮水体２０を巻き付けて覆う。
【００５６】
この際には、遮水体２０の粘着層２１をケーブル接続部６に押付けて空気ができ得る限り入らないように（空気を良く抜いて）、良好に密着させる。
【００５７】
また、遮水体２０は、弾性部材層２３を有するため、遮水体２０を引張りながらケーブル接続部６上に張り付けるように施工することができる。
【００５８】
接続端部５，５およびケーブル接続部６上に、遮水体２０を巻き付けた状態は図３〜図５に示すようになる。なお、遮水体２０の粘着層２１は、自己融着性のあるものなので、施工後にケーブル接続部６の半導電層（外部半導電層）３４および接地線３６外周などに経時的に融着していく。
【００５９】
また、巻き付けた遮水体２０の断面形状は図４に示すようになる。遮水体２０の周方向の端部同士がラップする（重なる）部分２０ｒでは、粘着層２１が弾性部材層２３上に密着し経時的に密着が強くなり良好な密着性・密着状態を得ることができる。
【００６０】
また、ケーブル接続部６の遮水体２０の固定構造は、実施形態では、図１〜図３に示すように、ケーブル接続部６に巻き付けた遮水体２０周囲上から帯材２６を巻き付けてその遮水体２０を固定するものである（遮水体の固定構造）。
【００６１】
上記実施形態に係るケーブル接続部６用の遮水体２０およびその固定構造によれば、遮水体２０は全体が平坦なシート状を呈しており、筒状になっていないので接続後のケーブル接続部６に防水施工する際にケーブル接続部６を取外して予め通しておく必要が無く、図２に示すように、ケーブル接続部６にそのまま巻き付けて施工することができるのでマンホールなどの狭いスペースであっても電力ケーブル４のケーブル接続部６に遮水体２０を容易に施工できる。
【００６２】
また、新たに電力ケーブル４同士を接続する際に用いても、何らかの原因や障害によって遮水体２０の取り替えが必要になっても、ケーブル接続部６がそのままの状態で遮水体２０を施工できるので、作業手順の簡易化や遮水体の交換等のケーブル接続部６の保守面で優れた効果を奏し得る。
【００６３】
尚、本発明のケーブル接続部６用の遮水体は、上記した実施の形態に限定されるものではなく、本発明の要旨を逸脱しない範囲内において種々変更を加え得ることはもちろんである。
【００６４】
図６〜図７は、前記実施形態のケーブル接続部用の遮水体およびその固定構造の変形例の説明図である。図６（ａ）は複数の遮水体によってそれぞれ適切な位置で覆う状態の斜視説明図、図６（ｂ）はこれら遮水体によって覆った状態の説明図、図７は遮水体で覆った状態の詳細断面図である。図６、図７において、図１〜図５と同様部分には、同一の符号を付している。
【００６５】
前記実施形態では、図２に示すように、遮水体は、単体のシート状のものを用いていたが、この変形例では、図６（ａ）に示すように、幅（電力ケーブル４，４の軸方向の長さ）の短い２つの遮水体(以下「第１の遮水体」という）２０ａによってそれぞれケーブル接続部６と電力ケーブル４の接続端部５の外周面上を合わせて覆うように重ねて密着施工し、かつ、幅の長い遮水体（以下「第２の遮水体」という）２０ｂによってケーブル接続部６の外周面上と前記幅の短い第１の遮水体２０ａ上を覆うように重ねて密着施工するものである。
【００６６】
図７に示すように、第２の遮水体２０ｂと第１の遮水体２０ａとの間に生じる段差は、遮水体の粘着層２１が変形することによって、段差を減らすように、吸収することができる。
【００６７】
なお、図６（ｂ）に二点鎖線によって示すように、施工後の遮水体状前記ケーブル接続部用の遮水体の固定構造は、前記ケーブル接続部６を覆った遮水体２０ａ，２０ａ，２０ｂ上に自己融着性のある帯材２６を巻き付けることによって、前記遮水体２０ａ，２０ａ，２０ｂをケーブル接続部６上に固定することが好ましいものである。
【００６８】
本発明のケーブル接続部用の遮水体およびその固定構造は、低電圧（交流電圧７５０ボルト未満）用の電力ケーブルや高電圧（交流電圧７５０ボルト〜６０００ボルト）用の電力ケーブルであって、架橋ポリエチレン絶縁電力ケーブル（ＣＶケーブル)に用いるのに好適であるが、その他の電圧もしくはその他の種類の電力ケーブルにも用いてその接続部の遮水性を向上することができる。
【図面の簡単な説明】
【００６９】
【図１】本発明に係るケーブル接続部用の遮水体およびその固定構造の実施形態の一例であって、遮水体の断面説明図である。
【図２】図１の遮水体によってケーブル接続部を遮水体で覆うと共にその遮水体の施工説明図である。
【図３】図１の遮水体によってケーブル接続部を覆った状態の説明図である。
【図４】図３のＩＶ−ＩＶ線に沿った断面視図である。
【図５】図１の遮水体によってケーブル接続部を覆った状態の縦断面視した詳細な説明図である。
【図６】前記実施形態のケーブル接続部用の遮水体およびその固定構造の変形例の説明図であって、（ａ）は複数の遮水体によってケーブル接続部をそれぞれ適切な位置で覆う状態の斜視説明図、（ｂ）はこれら遮水体によってケーブル接続部を覆った状態の説明図である。
【図７】図６のケーブル接続部を遮水体で覆った状態の詳細断面図である。
【図８】地中管路に敷設された電力ケーブルにおいてマンホールに設けられるケーブル接続部の説明図である。
【図９】ケーブル接続部に対する常温収縮性遮水チューブの取り付け施工の説明図である。
【符号の説明】
【００７０】
４  電力ケーブル
５，５  接続端部
６  ケーブル接続部
１２  導体接続管
２０  遮水体
２０ａ  第１の遮水体
２０ｂ  第２の遮水体
２０ｒ  遮水体の端部同士がラップする部分
２１  粘着層
２２  遮水層
２３  弾性部材層
２４  離型シート部材
２５  固着層
２６  帯材
２７  外部保護層
２８  遮蔽銅テープ
２９  導体接続管カバー
３０，３０  スペーサ
３１，３１  ストレスコーン部
３２  絶縁筒
３３  半導電層（内部半導電層）
３４ａ，３４ａ  テープ材
３４，３４  半導電層（外部半導電層）
３５  接地線
３６  接地線
３７  接地金具
【図１】
2006020388.tif 000003
【図２】
2006020388.tif 000004
【図３】
2006020388.tif 000005
【図４】
2006020388.tif 000006
【図５】
2006020388.tif 000007
【図６】
2006020388.tif 000008
【図７】
2006020388.tif 000009
【図８】
2006020388.tif 000010
【図９】
2006020388.tif 000011